(57)【要約】【課題】スペーサの本係止位置における保持を安定化することができるコネクタを提供する。【解決手段】端子収容室３が設けられたハウジング５と、端子収容室３に連通された収容凹部７と、端子を係止する係止部１１を有するスペーサ１３とを備えたコネクタ１において、スペーサ１３が、ヒンジ９が設けられた基部１５と、基部１５の側面に撓み可能に設けられた側壁１９とを有し、スペーサ１３の側壁１９に、第１突起２１と、第２突起２３とを設け、端子収容室３の側面１７に、第１突起２１と係合して仮係止位置でスペーサ１３を保持する第１凹部２５と、第２突起２３と係合して本係止位置でスペーサ１３を保持する第２凹部２７とを設け、端子収容室３の側面１７に、本係止位置で第１突起２１と係合してスペーサ１３を保持する係合部２９を設けた。【選択図】図２
2018200781.tif 000002
【特許請求の範囲】
【請求項１】
端子を収容可能な端子収容室が設けられたハウジングと、
前記ハウジングの一面に開口して設けられ前記端子収容室に連通された収容凹部と、
前記ハウジングにヒンジを介して回動可能に設けられ回動により前記収容凹部に挿入され前記端子収容室に収容された前記端子を係止する係止部を有するスペーサと、
前記スペーサに配置されて前記ヒンジが設けられ前記スペーサを前記収容凹部に挿入することにより前記端子収容室の開口を閉塞する基部と、
前記基部の側面に一体に設けられ前記スペーサを前記収容凹部に挿入することにより前記端子収容室の側面に配置される撓み可能な側壁と、
前記側壁に設けられ前記端子収容室側に向けて突設された第１突起と、
前記端子収容室の側面に設けられ前記第１突起と係合して前記端子を前記端子収容室に収容可能に仮係止位置で前記スペーサを保持する第１凹部と、
前記側壁に設けられ前記端子収容室側に向けて突設された第２突起と、
前記端子収容室の側面に設けられ前記第２突起と係合して前記係止部を前記端子に係止した本係止位置で前記スペーサを保持する第２凹部と、
前記端子収容室の側面に設けられ前記第２突起と前記第２凹部とが係合した本係止位置で前記第１突起と係合して前記スペーサを保持する係合部と、
を有することを特徴とするコネクタ。
【請求項２】
請求項１記載のコネクタであって、
前記第１凹部と前記第２凹部との前記スペーサ側には、前記スペーサの回動により前記第１突起と前記第２突起と摺動して前記側壁を撓ませる第１テーパと第２テーパとが設けられていることを特徴とするコネクタ。
【請求項３】
請求項１又は２記載のコネクタであって、
前記第１凹部と前記第２凹部とは、前記ハウジングの一面と平行に位置され、
前記第１突起は、前記第２突起より前記スペーサの回動軌跡の内側に配置され、
前記第１凹部には、前記スペーサの回動軌跡に沿って第３凹部が連通され、
前記係合部は、前記第３凹部に設けられていることを特徴とするコネクタ。
【発明の詳細な説明】
【技術分野】
【０００１】
本発明は、コネクタに関する。詳細には、ハウジングに収容された端子を係止するスペーサを有するコネクタに関する。
【背景技術】
【０００２】
従来、コネクタとしては、端子を収容可能な端子収容室が設けられたハウジングと、ハウジングの一面に開口して設けられ端子収容室に連通された収容凹部と、ハウジングにヒンジを介して回動可能に設けられ回動により収容凹部に挿入され端子収容室に収容された端子を係止する係止部としての二重係止凸部を有するスペーサとしての二重係止部とを備えたものが知られている（例えば、特許文献１参照）。
【０００３】
このコネクタでは、二重係止部の二重係止凸部に、仮係止突起と本係止突起とが設けられ、端子収容室に、仮係止突起及び本係止突起が係止する係止部が設けられている。
【０００４】
このようなコネクタでは、仮係止突起が係止部に係合されることにより二重係止部が仮係止位置に保持され、端子収容室への端子の挿入が可能となり、本係止突起が係止部に係合されることにより二重係止部が本係止位置に保持され、端子が端子収容室に係止される。
【先行技術文献】
【特許文献】
【０００５】
【特許文献１】特開２０１０−１０２９４６号公報
【発明の概要】
【発明が解決しようとする課題】
【０００６】
しかしながら、上記特許文献１のようなコネクタでは、スペーサの本係止位置における保持が本係止突起と係止部との係合のみであるので、ハウジングに加わる振動などの外力によって、本係止突起と係止部との係合が解除され、スペーサの本係止状態が解除される恐れがあった。
【０００７】
そこで、この発明は、スペーサの本係止位置における保持を安定化することができるコネクタの提供を目的としている。
【課題を解決するための手段】
【０００８】
請求項１記載の発明は、端子を収容可能な端子収容室が設けられたハウジングと、前記ハウジングの一面に開口して設けられ前記端子収容室に連通された収容凹部と、前記ハウジングにヒンジを介して回動可能に設けられ回動により前記収容凹部に挿入され前記端子収容室に収容された前記端子を係止する係止部を有するスペーサと、前記スペーサに配置されて前記ヒンジが設けられ前記スペーサを前記収容凹部に挿入することにより前記端子収容室の開口を閉塞する基部と、前記基部の側面に一体に設けられ前記スペーサを前記収容凹部に挿入することにより前記端子収容室の側面に配置される撓み可能な側壁と、前記側壁に設けられ前記端子収容室側に向けて突設された第１突起と、前記端子収容室の側面に設けられ前記第１突起と係合して前記端子を前記端子収容室に収容可能に仮係止位置で前記スペーサを保持する第１凹部と、前記側壁に設けられ前記端子収容室側に向けて突設された第２突起と、前記端子収容室の側面に設けられ前記第２突起と係合して前記係止部を前記端子に係止した本係止位置で前記スペーサを保持する第２凹部と、前記端子収容室の側面に設けられ前記第２突起と前記第２凹部とが係合した本係止位置で前記第１突起と係合して前記スペーサを保持する係合部とを有することを特徴とするコネクタである。
【０００９】
このコネクタでは、端子収容室の側面に、第２突起と第２凹部とが係合した本係止位置で第１突起と係合してスペーサを保持する係合部が設けられているので、第２突起と第２凹部との係合と、第１突起と係合部との係合とで、スペーサを本係止位置に保持することができる。
【００１０】
従って、このようなコネクタでは、第２突起と第２凹部との係合と、第１突起と係合部との係合とで、外力に対するスペーサの保持力を強化することができ、スペーサの本係止位置における保持を安定化することができる。
【００１１】
請求項２記載の発明は、請求項１記載のコネクタであって、前記第１凹部と前記第２凹部との前記スペーサ側には、前記スペーサの回動により前記第１突起と前記第２突起と摺動して前記側壁を撓ませる第１テーパと第２テーパとが設けられていることを特徴とする。
【００１２】
このコネクタでは、第１凹部と第２凹部とのスペーサ側に、スペーサの回動により第１突起と第２突起と摺動して側壁を撓ませる第１テーパと第２テーパとが設けられているので、スペーサの回動に合わせて、第１突起と第１凹部との係合及び第２突起と第２凹部との係合を行うことができる。
【００１３】
請求項３記載の発明は、請求項１又は２記載のコネクタであって、前記第１凹部と前記第２凹部とは、前記ハウジングの一面と平行に位置され、前記第１突起は、前記第２突起より前記スペーサの回動軌跡の内側に配置され、前記第１凹部には、前記スペーサの回動軌跡に沿って第３凹部が連通され、前記係合部は、前記第３凹部に設けられていることを特徴とする。
【００１４】
このコネクタでは、第１凹部と第２凹部とが、ハウジングの一面と平行に位置され、第１突起が、第２突起よりスペーサの回動軌跡の内側に配置されているので、スペーサの回動によりスペーサを仮係止位置に配置したとき、第１突起と第１凹部とが係合される。
【００１５】
このとき、スペーサを仮係止位置に配置させるときのスペーサの収容凹部に対する挿入力は、第１突起と第１凹部との係合における第１突起の摺動による側壁を撓ませる挿入力のみとなる。
【００１６】
一方、スペーサの回動によりスペーサを仮係止位置から本係止位置に配置したときには、第２突起と第２凹部とが係合される。
【００１７】
このとき、係合部は、スペーサの回動軌跡に沿って第１凹部に連通された第３凹部に設けられているので、第１突起は、第１凹部からスペーサの回動軌跡に沿って第３凹部に移動され、第１突起が側壁を撓ませることなく係合部に係合される。
【００１８】
このため、スペーサを本係止位置に配置させるときのスペーサの収容凹部に対する挿入力は、第２突起と第２凹部との係合における第２突起の摺動による側壁を撓ませる挿入力のみとなる。
【００１９】
従って、スペーサの収容凹部に対する挿入力を低減することができ、組付性を向上することができる。
【発明の効果】
【００２０】
本発明によれば、スペーサの本係止位置における保持を安定化することができるコネクタを提供することができるという効果を奏する。
【図面の簡単な説明】
【００２１】
【図１】本発明の実施の形態に係るコネクタのスペーサを収容凹部に挿入する前の斜視図である。
【図２】本発明の実施の形態に係るコネクタのスペーサを収容凹部に挿入する前の図１と異なる方向から見たときの斜視図である。
【図３】本発明の実施の形態に係るコネクタのスペーサを収容凹部に挿入する前の正面図である。
【図４】本発明の実施の形態に係るコネクタのスペーサを収容凹部に挿入する前の側面図である。
【図５】図３のＸ−Ｘ断面図である。
【図６】本発明の実施の形態に係るコネクタのスペーサを仮係止位置に保持したときの斜視図である。
【図７】本発明の実施の形態に係るコネクタのスペーサを仮係止位置に保持したときの図６と異なる方向から見たときの斜視図である。
【図８】本発明の実施の形態に係るコネクタのスペーサを仮係止位置に保持したときの側面図である。
【図９】本発明の実施の形態に係るコネクタのスペーサを仮係止位置に保持したときの断面図である。
【図１０】本発明の実施の形態に係るコネクタのスペーサを本係止位置に保持したときの斜視図である。
【図１１】本発明の実施の形態に係るコネクタのスペーサを本係止位置に保持したときの図１０と異なる方向から見たときの斜視図である。
【図１２】本発明の実施の形態に係るコネクタのスペーサを本係止位置に保持したときの側面図である。
【図１３】本発明の実施の形態に係るコネクタのスペーサを本係止位置に保持したときの断面図である。
【発明を実施するための形態】
【００２２】
図１〜図１３を用いて本発明の実施の形態に係るコネクタについて説明する。
【００２３】
本実施の形態に係るコネクタ１は、端子を収容可能な端子収容室３が設けられたハウジング５と、ハウジング５の一面に開口して設けられ端子収容室３に連通された収容凹部７と、ハウジング５にヒンジ９を介して回動可能に設けられ回動により収容凹部７に挿入され端子収容室３に収容された端子を係止する係止部１１を有するスペーサ１３とを備えている。
【００２４】
また、スペーサ１３は、ヒンジ９が設けられスペーサ１３を収容凹部７に挿入することにより端子収容室３の開口を閉塞する基部１５と、基部１５の側面に一体に設けられスペーサ１３を収容凹部７に挿入することにより端子収容室３の側面１７に配置される撓み可能な側壁１９とを有する。
【００２５】
さらに、スペーサ１３の側壁１９には、端子収容室３側に向けて突設された第１突起２１と、第２突起２３とが設けられ、端子収容室３の側面１７には、第１突起２１と係合して端子を端子収容室３に収容可能に仮係止位置でスペーサ１３を保持する第１凹部２５と、第２突起２３と係合して係止部１１を端子に係止した本係止位置でスペーサ１３を保持する第２凹部２７とが設けられている。
【００２６】
そして、端子収容室３の側面１７には、第２突起２３と第２凹部２７とが係合した本係止位置で第１突起２１と係合してスペーサ１３を保持する係合部２９が設けられている。
【００２７】
また、第１凹部２５と第２凹部２７とのスペーサ１３側には、スペーサ１３の回動により第１突起２１と第２突起２３と摺動して側壁１９を撓ませる第１テーパ３１と第２テーパ３３とが設けられている。
【００２８】
さらに、第１凹部２５と第２凹部２７とは、ハウジング５の一面と平行に位置され、第１突起２１は、第２突起２３よりスペーサ１３の回動軌跡の内側に配置され、第１凹部２５には、スペーサ１３の回動軌跡に沿って第３凹部３５が連通され、係合部２９は、第３凹部３５に設けられている。
【００２９】
図１〜図１３に示すように、ハウジング５は、合成樹脂などの絶縁性材料からなり、相手ハウジング（不図示）と嵌合可能となっている。
【００３０】
このハウジング５には、相手ハウジングとの嵌合状態を保持するロック部３７が設けられたロックアーム３９が撓み可能に設けられ、ロック部３７が相手ハウジングに設けられた被ロック部（不図示）と係合することにより、相手ハウジングとハウジング５との嵌合状態が保持される。
【００３１】
なお、ロックアーム３９の自由端側には、操作部４１が設けられ、操作部４１を押圧することにより、ロックアーム３９が撓まされ、ロック部３７と被ロック部との係合を解除し、相手ハウジングとハウジング５との嵌合状態を解除することができる。
【００３２】
このようなハウジング５には、複数の端子（不図示）をそれぞれ収容する複数（ここでは２つ）の端子収容室３が設けられ、相手ハウジングと嵌合することにより、相手ハウジングに収容された相手端子（不図示）と端子とが電気的に接続される。
【００３３】
複数の端子収容室３は、ハウジング５の幅方向に複数列（ここでは２列）設けられている。
【００３４】
この端子収容室３の内部には、係止ランス（不図示）が撓み可能に設けられ、この係止ランスが内部に収容された端子と係合し、端子収容室３からの端子の抜け止めがなされる。
【００３５】
このような端子をそれぞれ収容する複数の端子収容室３は、ハウジング５の中央部に設けられた収容凹部７にそれぞれ連通されている。
【００３６】
収容凹部７は、ハウジング５の一面の中央部に長方形状に開口し、複数の端子収容室３の両側面１７，１７の上方に位置する開口と連通するように複数の端子収容室３を横切り、端子収容室３の両側面１７，１７をハウジング５の外部に露出するように設けられている。
【００３７】
この収容凹部７には、ハウジング５の一面側の開口からスペーサ１３が挿入され、複数の端子収容室３にそれぞれ収容された端子と係合し、端子の端子収容室３からの抜け止めが係止ランスと共に二重になされる。
【００３８】
スペーサ１３は、収容凹部７に挿入可能なようにコ字状に形成され、ヒンジ９を介してハウジング５の一面側に回動可能に設けられ、基部１５と、係止部１１と、側壁１９とを備えている。
【００３９】
基部１５は、平板状に形成され、長さ方向の一端側がヒンジ９を介してハウジング５の一面側に回動可能に連続する一部材で連結されている。
【００４０】
この基部１５の外面は、収容凹部７に対してスペーサ１３が完全に収容された本係止位置で、ハウジング５の一面と面一となるように配置される。
【００４１】
このような基部１５の内面には、端子収容室３内に挿入される係止部１１が設けられている。
【００４２】
係止部１１は、複数の端子収容室３に合わせて、基部１５の幅方向に複数（ここでは２つ）が並列に配置され、基部１５の内面から連続する一部材で突設されている。
【００４３】
この係止部１１は、収容凹部７に対してスペーサ１３が完全に収容されていない仮係止位置で、端子収容室３の側面１７，１７間に挿入されず、端子を端子収容室３内に収容可能とする。
【００４４】
一方、係止部１１は、端子が端子収容室３内に収容され、収容凹部７に対してスペーサ１３が完全に収容された本係止位置で、端子収容室３の側面１７，１７間に挿入され、端子に設けられた被係止部（不図示）に係合可能に配置され、端子の端子収容室３からの抜け止めを行う。
【００４５】
このようにスペーサ１３によって端子の抜け止めを行うことにより、端子収容室３内に設けられた係止ランスとで、端子を端子収容室３に二重に係止することができる。
【００４６】
このような係止部１１が設けられた基部１５には、幅方向の両側にそれぞれ側壁１９，１９が設けられている。
【００４７】
側壁１９，１９は、基部１５の幅方向両側にそれぞれ基部１５と連続する一部材で平板状に形成され、基部１５の幅方向に撓み可能に設けられている。
【００４８】
この側壁１９，１９は、収容凹部７に対してスペーサ１３が完全に収容された本係止位置で、外面がハウジング５の両側面と面一となるように配置され、内面が端子収容室３の側面１７，１７に対向して配置される。
【００４９】
このような側壁１９，１９の内面には、それぞれ第１突起２１と、第２突起２３とが設けられている。
【００５０】
第１突起２１は、側壁１９のヒンジ９側に配置され、側壁１９の内面から側壁１９，１９間に向けて円柱状に突設されている。
【００５１】
この第１突起２１の突出高さは、スペーサ１３がヒンジ９を介して回動され、収容凹部７内に収容されるときに、端子収容室３の側面１７と摺動可能な高さに設定されている。
【００５２】
第２突起２３は、側壁１９の係止部１１側に配置され、側壁１９の内面から側壁１９，１９間に向けて円柱状に突設されている。
【００５３】
この第２突起２３の突出高さは、第１突起２１と同様に、スペーサ１３がヒンジ９を介して回動され、収容凹部７内に収容されるときに、端子収容室３の側面１７と摺動可能な高さに設定されている。
【００５４】
このような第１突起２１と第２突起２３とは、スペーサ１３の回動軌跡において、第１突起２１が第２突起２３より内側に位置するように配置されている。
【００５５】
このため、スペーサ１３がヒンジ９を介して回動され、収容凹部７内に収容されるとき、第１突起２１が第２突起２３より先に、端子収容室３の側面１７と摺動し、側壁１９を外方に向けて撓ませる。
【００５６】
このような第１突起２１と第２突起２３とは、収容凹部７に対するスペーサ１３の挿入により、端子収容室３の側面１７，１７にそれぞれ設けられた第１凹部２５と、第２凹部２７と、第３凹部３５に設けられた係合部２９とに係合される。
【００５７】
第１凹部２５は、端子収容室３の側面１７のヒンジ９側に配置され、第１突起２１を収容可能に端子収容室３の側面１７を貫通して設けられた孔部となっている。
【００５８】
この第１凹部２５のスペーサ１３側には、端子収容室３の側面１７の縁部から第１凹部２５に向けて傾斜する第１テーパ３１が設けられている。
【００５９】
この第１テーパ３１は、スペーサ１３がヒンジ９を介して回動され、収容凹部７内に収容されるときに、第１突起２１と摺動し、側壁１９を外方に向けて撓ませる。
【００６０】
この第１テーパ３１によって撓まされた側壁１９は、第１突起２１が第１テーパ３１を越えて第１凹部２５に位置したときに復元し、第１突起２１を第１凹部２５に係合させる。
【００６１】
この第１凹部２５に対する第１突起２１の係合により、スペーサ１３がハウジング５に対して仮係止位置に保持される。
【００６２】
このスペーサ１３の仮係止位置では、係止部１１が端子収容室３内に挿入されておらず、端子を端子収容室３内に収容させることができる。
【００６３】
第２凹部２７は、端子収容室３の側面１７の係止部１１側に配置され、第２突起２３を収容可能に端子収容室３の側面１７を貫通して設けられた孔部となっている。
【００６４】
この第２凹部２７のスペーサ１３側には、端子収容室３の側面１７の縁部から第２凹部２７に向けて傾斜する第２テーパ３３が設けられている。
【００６５】
この第２テーパ３３は、スペーサ１３がヒンジ９を介して回動され、収容凹部７内に収容されるときに、第２突起２３と摺動し、側壁１９を外方に向けて撓ませる。
【００６６】
この第２テーパ３３によって撓まされた側壁１９は、第２突起２３が第２テーパ３３を越えて第２凹部２７に位置したときに復元し、第２突起２３を第２凹部２７に係合させる。
【００６７】
この第２凹部２７に対する第２突起２３の係合により、スペーサ１３がハウジング５に対して本係止位置に保持される。
【００６８】
このスペーサ１３の本係止位置では、係止部１１が端子収容室３内に挿入され、端子収容室３内に収容された端子に係止部１１が係合可能に配置され、端子収容室３からの端子の抜け止めを行うことができる。
【００６９】
第３凹部３５は、端子収容室３の側面１７において、第１凹部２５よりヒンジ９側に配置され、第１突起２１を収容可能に端子収容室３の側面１７を貫通して設けられた孔部となっており、第１凹部２５に連通されている。
【００７０】
この第３凹部３５は、第１凹部２５からスペーサ１３の回動軌跡に沿って形成されており、スペーサ１３が仮係止位置から本係止位置に移行するときに、第１突起２１が第１凹部２５から第３凹部３５に沿って第３凹部３５に収容される。
【００７１】
このような第３凹部３５内には、第１突起２１が第３凹部３５に収容された状態で、第１突起２１に係合する係合部２９が設けられている。
【００７２】
係合部２９は、第３凹部３５内のスペーサ１３側に設けられた段部となっており、スペーサ１３が仮係止位置から本係止位置に移行するときに、第１凹部２５から第３凹部３５内に移動した第１突起２１と係合される。
【００７３】
この係合部２９に対する第１突起２１の係合により、第２凹部２７に対する第２突起２３の係合と共に、スペーサ１３をハウジング５に対して本係止位置に保持することができ、スペーサ１３の本係止位置における保持を強化することができる。
【００７４】
このため、ハウジング５に加わる振動などの外力によって、端子収容室３内で端子が移動したとしても、第２突起２３と第２凹部２７との係合と、第１突起２１と係合部２９との係合とにより、スペーサ１３の本係止状態が解除されることを防止することができる。
【００７５】
ここで、第１凹部２５と第２凹部２７とは、端子収容室３の側面１７において、ハウジング５のスペーサ１３が配置された一面と平行に配置されている。
【００７６】
また、スペーサ１３は、ヒンジ９を介してハウジング５に回動可能に設けられており、第１突起２１が第２突起２３よりスペーサ１３の回動軌跡の内側に配置されている。
【００７７】
このため、スペーサ１３がヒンジ９を介して回動され、収容凹部７内に仮係止位置で保持されるとき、まず、第１突起２１が第１テーパ３１と摺動し、側壁１９が撓まされ、側壁１９の復元により第１突起２１が第１凹部２５に係合される。
【００７８】
次に、スペーサ１３が仮係止位置から本係止位置に移行され、収容凹部７内に本係止位置で保持されるとき、第２突起２３が第２テーパ３３と摺動し、側壁１９が撓まされ、側壁１９の復元により第２突起２３が第２凹部２７に係合される。
【００７９】
このとき、第１突起２１は、側壁１９を撓ませるために側壁１９と摺動することなく、第１凹部２５から第３凹部３５に沿って第３凹部３５内に移動され、第２突起２３との摺動によって撓まされた側壁１９の復元により第３凹部３５内の係合部２９に係合される。
【００８０】
このようにスペーサ１３が仮係止位置から本係止位置に移行するときに、第１突起２１が側壁１９を撓ませるための摺動を行わないことにより、収容凹部７に対するスペーサ１３の挿入力が第２突起２３と第２テーパ３３との摺動のみとなる。
【００８１】
このため、スペーサ１３が仮係止位置に位置するときの挿入力は、第１突起２１と第１テーパ３１との摺動のみとなり、スペーサ１３が本係止位置に位置するときの挿入力は、第２突起２３と第２テーパ３３との摺動のみとなる。
【００８２】
従って、収容凹部７に対するスペーサ１３の挿入力を、スペーサ１３を仮係止位置に保持させ、仮係止位置から本係止位置に保持させるまでの間、低減させた状態のまま一定に保つことができ、ハウジング５に対するスペーサ１３の組付性を向上することができる。
【００８３】
このようなコネクタ１の組付けは、まず、スペーサ１３を回動させ、収容凹部７に挿入し、第１突起２１と第１凹部２５とを係合させ、収容凹部７に対してスペーサ１３を仮係止位置に保持する（図６〜図９参照）。
【００８４】
次に、端子を端子収容室３に収容し、端子を係止ランスに係止させ、係止ランスによって端子収容室３内に端子を保持させる。
【００８５】
そして、スペーサ１３を回動させ、収容凹部７内でスペーサ１３を仮係止位置から本係止位置に移行させ、第２突起２３と第２凹部２７及び第１突起２１と係合部２９を係合させ、収容凹部７に対してスペーサ１３を本係止位置に保持し、係止部１１を端子に係合可能に配置させ、スペーサ１３によって端子収容室３内に端子を保持させる（図１０〜図１３参照）。
【００８６】
このようなコネクタ１では、端子収容室３の側面１７に、第２突起２３と第２凹部２７とが係合した本係止位置で第１突起２１と係合してスペーサ１３を保持する係合部２９が設けられているので、第２突起２３と第２凹部２７との係合と、第１突起２１と係合部２９との係合とで、スペーサ１３を本係止位置に保持することができる。
【００８７】
従って、このようなコネクタ１では、第２突起２３と第２凹部２７との係合と、第１突起２１と係合部２９との係合とで、外力に対するスペーサ１３の保持力を強化することができ、スペーサ１３の本係止位置における保持を安定化することができる。
【００８８】
また、第１凹部２５と第２凹部２７とのスペーサ１３側には、スペーサ１３の回動により第１突起２１と第２突起２３と摺動して側壁１９を撓ませる第１テーパ３１と第２テーパ３３とが設けられているので、スペーサ１３の回動に合わせて、第１突起２１と第１凹部２５との係合及び第２突起２３と第２凹部２７との係合を行うことができる。
【００８９】
さらに、第１凹部２５と第２凹部２７とは、ハウジング５の一面と平行に位置され、第１突起２１は、第２突起２３よりスペーサ１３の回動軌跡の内側に配置されているので、スペーサ１３の回動によりスペーサ１３を仮係止位置に配置したとき、第１突起２１と第１凹部２５とが係合される。
【００９０】
このとき、スペーサ１３を仮係止位置に配置させるときのスペーサ１３の収容凹部７に対する挿入力は、第１突起２１と第１凹部２５との係合における第１突起２１の摺動による側壁１９を撓ませる挿入力のみとなる。
【００９１】
一方、スペーサ１３の回動によりスペーサ１３を仮係止位置から本係止位置に配置したときには、第２突起２３と第２凹部２７とが係合される。
【００９２】
このとき、係合部２９は、スペーサ１３の回動軌跡に沿って第１凹部２５に連通された第３凹部３５に設けられているので、第１突起２１は、第１凹部２５からスペーサ１３の回動軌跡に沿って第３凹部３５に移動され、第１突起２１が側壁１９を撓ませることなく係合部２９に係合される。
【００９３】
このため、スペーサ１３を本係止位置に配置させるときのスペーサ１３の収容凹部７に対する挿入力は、第２突起２３と第２凹部２７との係合における第２突起２３の摺動による側壁１９を撓ませる挿入力のみとなる。
【００９４】
従って、スペーサ１３の収容凹部７に対する挿入力を低減することができ、組付性を向上することができる。
【００９５】
なお、本発明の実施の形態に係るコネクタでは、第３凹部がスペーサの回動軌跡に沿って第１凹部に連通されているが、これに限らず、第１突起と干渉することなく、第１凹部から第１突起を移動することができる形状であれば、第３凹部の形状はどのようなものであってもよい。
【００９６】
また、第１凹部と第２凹部とは、ハウジングの一面と平行に位置されているが、第１凹部と第２凹部との配置と、第１突起と第２突起との配置とは、このような配置に限られるものではない。
【００９７】
例えば、第１凹部と第２凹部とをスペーサの回動軌跡に沿って配置させ、第１突起と第２突起とをスペーサの回動軌跡に沿って配置させる。
【００９８】
この配置では、スペーサの仮係止位置で第１突起と第１凹部とが係合し、スペーサの本係止位置で第１突起と第２凹部とが係合し、第２突起と第１凹部とが係合する。
【００９９】
このような配置では、スペーサの本係止位置で第１突起と係合する第２凹部が、係合部となり、スペーサの本係止位置における保持を安定化することができる。
【０１００】
このようにスペーサの仮係止位置で第１突起と第１凹部とが係合し、スペーサの本係止位置で第１突起と係合部とが係合する構成であれば、第１凹部と第２凹部とをどのように配置してもよい。
【０１０１】
また、端子収容室は、ハウジングに２つ設けられているが、これに限らず、端子収容室をハウジングに１つ、或いは３つ以上設けてもよく、端子収容室の数に合わせて、スペーサに係止部を設ければよい。
【符号の説明】
【０１０２】
１…コネクタ
３…端子収容室
５…ハウジング
７…収容凹部
９…ヒンジ
１１…係止部
１３…スペーサ
１５…基部
１７…側面
１９…側壁
２１…第１突起
２３…第２突起
２５…第１凹部
２７…第２凹部
２９…係合部
３１…第１テーパ
３３…第２テーパ
３５…第３凹部
【図１】
2018200781.tif 000003
【図２】
2018200781.tif 000004
【図３】
2018200781.tif 000005
【図４】
2018200781.tif 000006
【図５】
2018200781.tif 000007
【図６】
2018200781.tif 000008
【図７】
2018200781.tif 000009
【図８】
2018200781.tif 000010
【図９】
2018200781.tif 000011
【図１０】
2018200781.tif 000012
【図１１】
2018200781.tif 000013
【図１２】
2018200781.tif 000014
【図１３】
2018200781.tif 000015